(57)【要約】      （修正有）【課題】紙箱の開放口を封止するにあたり、係合箇所で箱内側に突起したりする事がなく、簡単、迅速にかつ確実に封止出来、又、封止を解除するには軽く迅速に行える係合手段を有した紙箱を提供する。【解決手段】相対する構成要素の重ね合わさった部分で係合する手段を設けた厚紙を用いた紙箱に於いて、係合を面ファスナーで行い、面ファスナーの片方が係合時下側となる構成要素の台紙を刳り抜いた穴に裏から該穴より大きな厚紙で塞がれた穴底面に接着固定する事で、面ファスナーの絡み合い接着により発生する厚みを吸収し、上側になる構成要素の係合箇所台紙には折り筋を付けて、係合した面ファスナーを半分づつ剥がすことで、軽く封止を解除可能とした。【選択図】図８
0003120745.tif 000002
【実用新案登録請求の範囲】
【請求項１】
紙箱のある１つの構成要素と相対する他の構成要素とが重ね合わさる部分で互いに係合する手段を設けた紙箱に於いて、係合時下側になる構成要素の係合箇所に於いて、台紙を刳り抜き穴を開け、該穴を裏面から該穴より大きな厚紙で塞ぎ固定し、穴の厚紙底面及び係合時上側になる構成要素の係合箇所台紙裏面に、主として先端がループ状になった固い繊維が表面を覆ったシートと、先端がフック状に湾曲した固い繊維が表面を覆ったシートで、２つの面を合わせて圧力を掛けるとフック状の繊維先端がループ状繊維に絡み合い接着が発生する面ファスナーを、絡み合い接着が発生する面どうしにして接着固定してある事を特徴とする紙箱。  
【請求項２】
請求項１に於いて、係合時上側となる構成要素の台紙裏に上記面ファスナーの一方を接着固定してある係合箇所台紙のほぼ中央で、該構成要素の開閉支点となる天板辺に平行に外側に折れ曲げられるように折り筋を有するか、又は折り曲げやすく該構成要素の係合箇所を狭幅にした事を特徴とする紙箱。
【考案の詳細な説明】
【技術分野】
【０００１】
本考案は、板紙や段ボール等の肉厚が厚い台紙からなる紙箱であって、紙箱のある一つの構成要素と、相対する他の構成要素とを係合することで蓋を閉じ、封止するようにした紙箱に関する。
【背景技術】
【０００２】
デコレーションケーキの容器で、クリスマスや誕生日を祝うために、カラフルな印刷を施した段ボール等の厚紙を使用した紙箱がある。円筒形のデコレーションケーキは箱の上面からは手が邪魔になり入れにくく、通常は横から挿入する方式が一般的である。紙箱は胴貼りをしただけの筒状であり、使用する前は折り畳まれている。使用時には、箱を起立させ、片方の開放口を封止し、もう一方の開放口よりケーキ等収納物を収納した後、封止する。
【０００３】
従来の封止方法は、図１２の従来紙箱の封止途中図に示す開放口左右に設けられたサイドフラップ５８b、５９bをまず閉じて、該開放口上下に設けられている相対する封止フラップ５７b、５６bの上下の重なり面に於いて、上側封止フラップ５７bの先端部６１bを下側封止フラップ５６bの線状の切れ込み６０bに差し込むという単純な方法で行われてきた。図１３は従来紙箱の封止が終了した斜視図であり、図１１はその展開図である。
【０００４】
しかし、従来の方法では、図１３の封止終了斜視図に於けるＹ−Ｙ箇所断面図である図１４に示す如く、上側封止フラップ５７bの先端部６１bを下側封止フラップ５６bの線状の切れ込み６０bに差し込み事により、差し込んだ上側封止フラップ５７bの先端６１bがサイドフラップ５８b、５９bを内側に押し込んだり、または上側封止フラップ５７bの差し込んだ先端部６１ｂが直接箱内側に入ったりして、差し込みを慎重に行わないと収納物であるケーキ側面を傷つける事がある。特にクリスマスなど作業繁忙期には、この封止作業が全体の作業スピードの律速となっていた。また、台紙が肉厚のため上側封止フラップ５７b先端部６１bの差し込み、引き抜きは簡単には行えなかった。
【特許文献１】実用新案登録番号  第３０５８６８１
【考案の開示】
【考案が解決しようとする課題】
【０００５】
本考案が解決しようとしている課題は、紙箱の開放口を封止するにあたり、係合箇所で箱内側に突起したりする事がなく、簡単、迅速にかつ確実に封止出来、又、封止を解除するには軽く迅速に行える係合手段を有した紙箱を提供する事にある。
【課題を解決するための手段】
【０００６】
第一の課題解決手段は、紙箱のある１つの構成要素と相対する他の構成要素とが重ね合わさる部分で互いに係合する手段を設けた紙箱に於いて、係合時下側になる構成要素の係合箇所に於いて、台紙を刳り抜き穴を開け、該穴を裏面から該穴より大きな厚紙で塞ぎ固定し、穴の厚紙底面及び係合時上側になる構成要素の係合箇所台紙裏面に、主として先端がループ状になった固い繊維が表面を覆ったシートと、先端がフック状に湾曲した固い繊維が表面を覆ったシートで、２つの面を合わせて圧力を掛けるとフック状の繊維先端がループ状繊維に絡み合い接着が発生する面ファスナーを、絡み合い接着が発生する面どうしにして接着固定した紙箱とする。  
【０００７】
第二の課題解決手段は、第一の課題解決手段に於いて、係合時上側となる構成要素の台紙裏に上記面ファスナーの一方を接着固定してある係合箇所台紙のほぼ中央で、該構成要素の開閉支点となる天板辺に平行に外側に折れ曲げられるように折り筋を有するか、又は折り曲げやすく該構成要素の係合箇所を狭幅にした紙箱とする。
【考案の効果】
【０００８】
上記第一の課題解決手段による作用は次の通りである。即ち、圧力により絡み合い接着力を発生するように対になった面ファスナーの一方を、紙箱の係合時下側となる構成要素の係合箇所台紙を刳り抜き埋め込み、穴を塞いだ厚紙に固定する事により、係合時上側になる構成要素の係合箇所台紙裏面に固定したもう一方の面ファスナーと圧着接着しても、対になった面ファスナーにより発生する厚み分を、刳り抜き穴の深さ分（台紙厚み分）吸収させ、係合時上側になる構成要素の係合箇所がふくれたりしないで済み、見た目もスッキリとした封止状態になる。このように通常、対になった面ファスナーが圧着接着状態で発生する厚み分を箱の台紙を刳り抜き、面ファスナーを埋め込む事で、この発生する厚み分を吸収する事が出来、今までは係合箇所が膨らんで使えなっかた面ファスナーが、この種の箱の封止手段として使えるようになる。服飾関係では生地が柔らかいため面ファスナーの厚みは吸収され問題はなかった。さらに、従来、係合時上側になる構成要素の先端を係合時下側になる構成要素の係合箇所切れ込みに差し込むと、その内側にあるサイドフラップ又は収納された内容物に該所先端が突っつくことがなく開放口の封止が可能となる。
【０００９】
上記第二の課題解決手段による作用は次の通りである。即ち、箱の封止は簡単で、しかも強く封止されていなければならない。そのためには、出来るだけ面ファスナーは広い面積で圧着させる必要がある。しかし、封止を外そうとした時は、簡単に外せなければならない。この矛盾を第二の課題解決手段により解決される。即ち、第１の構成要素の係合箇所に、該構成要素の開閉支点となる天板辺に平行に折り筋を入れる事または、この部分を狭幅にする事で、この該折り筋または狭幅位置を支点にして、面ファスナーの圧着接着をまず先端の半分だけ外し、次に残りの半分を外す事が出来、圧着接着状態を一度に外す時に必要な力の約半分で外す事が可能となる。即ち、封止時は面ファスナーが全面で作用し、解除時は半分づつ行い軽く解除出来る。
【考案を実施するための最良の形態】
【００１０】
以下、本考案によるデコレーションケーキ箱の実施例を図面に基づいて詳述する。図１は本考案による紙箱の台紙部分の展開図である。点線は折り筋を示す。通常はこの段階で天板３に設けた把手１３a、１３bを覆う、ゴミ侵入防止プラスチックフィルムを該天板全体に貼るが、本考案の趣旨と直接関係ないので、以降このプラスチックフィルムには触れない。図２は第２の構成要素である下側封止フラップのくり抜き穴１１a、１１bを、穴塞ぎ部材１０a、１０bを折り筋１４a、１４bで裏面に折り返し、裏面より該穴を塞いでいる状態を示す。図３はこの両方の該穴底面に、対になった面ファスナー（吉岡株式会社製ソフピタ、薄手）の一方１７a、１７bを接着固定した状態を示す。図４は、図３の状態の台紙を裏返し、上側封止フラップ８a、８b係合部にある折り筋１５a、１５bをまたぐように絡み合い接着テープのもう一方１６a、１６bを接着固定した状態を示す。図３で下側封止フラップ６a、６bに接着固定された最初の面ファスナー１７a、１７bは図４では裏面になっており、折り返された穴塞ぎ部材１１a、１１bしか見えない。
【００１１】
図５は図１に於ける糊代５を側壁４の端部に接着固定し筒状にし、片方の開放口は既に封止し、手前の開放口を封止しようとしている状態の斜視図を示す。左右のサイドフラップ７a、９aを閉じ、次に上側封止フラップ８a、下側封止フラップ６aを閉じようとしている。対になった面ファスナーは先端係合部１２a、穴塞ぎ部材１０aの裏になっており、この図５では見えない。図６は図５の状態から下側封止フラップを閉じた状態を示す。下側封止フラップの係合位置に固定された面ファスナー１７aが見えている。図７は下側封止フラップの面ファスナーに上側封止フラップ８aの係合位置にあるもう一方の面ファスナーが圧着接着された状態、即ち封止完了を示す。
【００１２】
図８は図７のＸ−Ｘ位置に於ける断面図である。圧着接着した面ファスナー１６a、１７aが下側封止フラップ６aに設けられた刳り抜き穴１１aに埋め込まれ、係合部分で面ファスナーの厚み分が吸収されている事を示す。図９は上側封止フラップ８aの先端係合部１２aを指先で折り筋１５aを支点にして、面ファスナーの圧着接着面を半分剥がした状態を示す。図１０は面ファスナーの圧着接着面全体を剥がし終えた状態を示す。即ち、絡み合い接着テープの圧着接着面全体を一度に剥がそうとする時に比べ半分の力で剥がす事が出来る。  
【００１３】
以上の如く、本考案によれば、封止が簡単で、しかも強く封止されるにもかかわらず、意図的に封止解除しようとした時は、軽く解除出来、しかも従来のような係合部の先端差込による左右フラップの押し込み等による収納物への接触する事のない紙箱を提供することが出来る。また、刳り抜き穴塞ぎ部材１０a、１０bは本実施例では下側封止部材６a、６bの一部を折り返して使用しているが、箱台紙の一部を使わずに、別部材を持ってきて刳り抜き穴を塞ぐ事が出来る事は言うまでもない。また、上側封止フラップ８a、８bの先端係合部１２a、１２bは折り筋１５a、１５bを支点に折り曲げるようにしているが、該折り筋相当部台紙を狭幅にする事で同様の効果を得られる事も言うまでもない事である。
【００１４】
尚、面ファスナーには、小さなループがびっしり並んだループ面と、細かいカギ状になっているフック面の２枚一組で用いるものが殆どで、本考案にもこの組み合わせが最も有効であるが、同じ面にループとフックを並べた面ファスナー、またフック面がマッシュルーム形状のフックになっているものなどいくつかの方式があり、これらも有効である事は明らかである。
【図面の簡単な説明】
【００１５】
【図１】実施例の展開平面図
【図２】図１の下側封止フラップ６a、６bに設けた穴塞ぎ部材１０a、１０b                  を裏面に折り返し固定した図。穴１１a、１１bが裏面より該穴塞ぎ部                材により塞がれている。
【図３】図２の穴１１a、１１bの底面（穴塞ぎ部材）に絡み合い接着テープ                １７a、１７bを固定した図。
【図４】図３を裏返し、上側封止フラップ８a、８bの先端係合部折り筋１５a、                １５bを中央にして絡み合い接着テープ１６a、１６bが固定された図。
【図５】封止途中斜視図
【図６】封止途中斜視図
【図７】封止完了斜視図
【図８】図７に於ける、Ｘ−Ｘ断面図
【図９】図７に於ける、先端係合部のみ、絡み合い接着テープの圧着接着を解除                した状態の、Ｘ−Ｘ断面図。
【図１０】図９に於いて、封止を完全に解除した状態の、Ｘ−Ｘ断面図。
【図１１】従来仕様の箱の展開平面図
【図１２】従来仕様の箱の封止途中図
【図１３】従来仕様の箱の封止完了図
【図１４】図１３に於けるＹ−Ｙ箇所断面図
【符号の説明】
【００１６】
１            底板
２、４        側壁
３            天板
５            糊代
６a 、６b     下側封止フラップ
７a 、７b     サイドフラップ       
８a 、８b     上側封止フラップ  
９a 、９b     サイドフラップ
１０a、１０b    穴塞ぎ部材
１１a、１１b    刳り抜き穴
１２a、１２b    先端係合部
１３a、１３b    把手
１４a、１４b    折り筋
１５a、１５b    折り筋
【図１】
0003120745.tif 000003
【図２】
0003120745.tif 000004
【図３】
0003120745.tif 000005
【図４】
0003120745.tif 000006
【図５】
0003120745.tif 000007
【図６】
0003120745.tif 000008
【図７】
0003120745.tif 000009
【図８】
0003120745.tif 000010
【図９】
0003120745.tif 000011
【図１０】
0003120745.tif 000012
【図１１】
0003120745.tif 000013
【図１２】
0003120745.tif 000014
【図１３】
0003120745.tif 000015
【図１４】
0003120745.tif 000016